(57)【要約】【課題】埋設され中継ボックスを準次経由するケーブル芯線が外覆管内に挿通された鞘管ケーブルの中継ボックスのケーブル挿通穴部における、中途の地盤沈下により外覆管が収縮することでケーブル芯線の地中への露出を防止する。また、逆に地盤沈下で外覆管が中継ボックス内へ突出をも防止する、鞘管ケーブルの伸縮緩衝具を提供する。【解決手段】中継ボックス６のケーブル挿通穴部６ｂに波形金具１５を平行に取り付けて、外覆管８内に挿入可能な円筒状のスリーブ１に単線のケーブル芯線９が通過可能なスリット１ａと、スリーブ１の一端外周に凹形断面で一体に形成された固定鍔部２とを設け、固定鍔部２の凹形底部の周溝２ｃを波形金具１５の対称波高が形成する円弧状部で挟み固定する。また継手４を介在させてスリーブの延長を可能にした。【選択図】図５
0003129753.tif 000002
【実用新案登録請求の範囲】
【請求項１】
ケーブル芯線が外覆管内に挿通収容された鞘管ケーブルであって、この鞘管ケーブルを地中に埋設され所定間隔に設置された枡状の中継ボックスに上記ケーブル芯線を経由させる際の上記外覆管末端に装着する伸縮緩衝具において、
外径が上記外覆管内に収まり内径がケーブル芯線束径より大きい円筒状で長手方向に１本のケーブル芯線が通過可能に設けられたスリットを有するスリーブと、
このスリーブの一端側にスリット相当部を除く外周に断面凹形が一体に形成された固定鍔部と、
上記中継ボックス側壁のケーブル挿通穴部に少なくとも２本の波形金具がその波形を対称に平行に取り付け、この波形金具の対象波高部が形成する略円弧状部分に挟まれる上記固定鍔部の凹形の底部が形成する周溝とを備えたことを特徴とする鞘管ケーブルの伸縮緩衝具。
【請求項２】
スリーブと固定鍔部が一体に樹脂成形されたことを特徴とする請求項１記載の鞘管ケーブルの伸縮緩衝具。
【請求項３】
外径が外覆管内に収まり内径がケーブル芯線束径より大きい円筒状で長手方向に１本のケーブル芯線が通過可能に設けられたスリットを有する延長スリーブと、
この延長スリーブのスリットと同じ幅のスリットを有し上記延長スリーブ内径又は外径に密着する腕輪状の継手とを具備し、
請求項１または請求項２の鞘管ケーブルの伸縮緩衝具のスリーブに上記継手を介在させて上記延長スリーブを順次固着してスリーブ部分を伸延させたことを特徴とする鞘管ケーブルの伸縮緩衝具。
【請求項４】
スリーブおよび固定鍔部の開口したスリットの端部又は任意の部位に上記スリットを架橋閉塞し補強する補強スペーサを固着させたことを特徴とする請求項１〜請求項３記載の鞘管ケーブルの伸縮緩衝具。
【考案の詳細な説明】
【技術分野】
【０００１】本考案は地中に埋設されるケーブル芯線が外覆管内に挿通収容された鞘管ケーブルが枡状の中継ボックス側壁のケーブル挿通穴に臨む部分の伸縮緩衝具に関する。
【背景技術】
【０００２】一般のケーブルはケーブル芯線と外覆とが一体であり、中継ボックス内でケーブル外覆部分を伸縮可能に止めておけば、地盤沈下等によるケーブルの伸縮はケーブル全体の移動により緩衝される。【０００３】しかし、光ファイバーの場合、光ケーブル芯線が外覆管内に挿通収容され間隙を持った鞘管となっている。そして、中継ボックス内においてケーブル芯線は外覆管から露出され「たわみ」を持たすため大きなループでコイル状に巻回収納される。
この概況を図６に示す。枡状の中継ボックス６が所定距離間隔に地面上に設置される。
中継ボックス６の側壁６ａに明けられているケーブル挿通穴６ｂに中継ボックス６間に埋設された鞘管ケーブル７の外覆管８の端部が臨み、ケーブル芯線９が通される。ケーブルの分岐が無いとき、ケーブル芯線９は断点が無い状態で連続のまま中継ボックス６内に「たわみ」のコイルループを持たせて隣の中継ボックス６へ延長される。
外覆管８を固定するために外覆管８の端部に腕輪状（Ｃ形）の鍔１０が間隔を持たせて２箇所に接着し、鍔１０間に後述の金具１５（波形金具）で保持させていた。鍔１０が腕輪状（Ｃ形）であるのは、この切れ目からエンドレスのケーブル芯線９を１本ずつ通し填めるためである。【０００４】この様な従来の鞘管ケーブル７の保持装置では、接着部の強度が十分でなく地盤沈下等による外覆管８の伸縮による外力で鍔１０の接着が外れ、外覆管８が中継ボックス６内に突出したり、逆に外覆管８が収縮して地中に潜り込むことが生じる。前者の突出す場合は光ファイバー特有の許容「たるみ状態」を損なうとか、極端な場合では、中継ボックス６の反対側壁面６ａに突き当たって光ファイバーであるケーブル芯線９に折損が生じる。また、逆に地中内に潜り込む場合は、ケーブル芯線９が直接地中内に露出し損傷の恐れが生じる。【０００５】出願人はこの様な外覆管８が中継ボックス６に臨む部分の伸縮緩衝具として、図７に示すものを用いていた。図７において（イ）は左側面図、（ロ）は図の線Ｅ−Ｅに沿う正面断面図であり、スリーブ１は１本のケーブル芯線９が通過可能幅に設けたスリット１ａを有し、一端側外周に２個の腕輪状（Ｃ形）鍔１０を所定の間隔で接着して、この鍔１０の間の凹部を後述する波形金具１５で固定した。
この図７に示す伸縮緩衝具は、外覆管８のある程度の収縮にはスリーブ１が収縮分をカバーしてケーブル芯線９の地中内露出を防止できた。【０００６】しかし、外覆管８の収縮潜り込み寸法がスリーブ１の長さより大きくなると、ケーブル芯線９の地中内露出が生じる。スリーブ１を長くすると中継ボックス６の反対側の壁が邪魔になり、スリーブ１の装着が困難となるので、スリーブ１の長さは制限される。また、スリット１ａが開放状態のため、スリーブ１に撓みが生じたら鍔１０のじ接着部を剥離させ、接着力の低下が促進される。【０００７】そして、外覆管８の突出には鍔１０の接着力が弱く、外覆管８の突出を防止することはできない。地盤沈下による外覆管８の収縮は比較的理解し易いが、ここで外覆管８の突出現象について説明する。
２つの中継ボックス６間に鞘管ケーブル７が埋設される、この間に小高い盛り上がりが存在する場合に、鞘管ケーブル７は地面に平行に埋設されており、盛り上がり部分に地盤沈下が発生したとき外覆管８は行き場を失い中継ボックス６内に突出する。
【考案の開示】
【考案が解決しようとする課題】
【０００８】この考案は、上記の課題を解決するものであり、埋設された鞘管ケーブルが地盤沈下等により中継ボックス内での外覆管の突出を防止するとともに、逆に地中内に潜り込む場合にはケーブル外覆管に代わって、伸縮緩衝具のスリーブがケーブル芯線を覆い地中内への露出を防止することを目的とするものである。
【課題を解決するための手段】
【０００９】この考案の鞘管ケーブルの伸縮緩衝具は、ケーブル芯線が外覆管内に挿通収容された上記ケーブル芯線を無結束で継ボックスを経由させる際に、中継ボックス側壁のケーブル挿通穴部に少なくとも２本の波形金具を平行に取り付けて、外径が外覆管内に収まり内径がケーブル芯線束径より大きい円筒状で長手方向に１本のケーブル芯線が通過可能なスリットを有するスリーブと、このスリーブの一端側にスリット相当部を除く外周に断面凹形が一体に形成された固定鍔部と、上記波形金具の対称波高部が形成する略円弧状部分に挟まれる固定鍔部の凹形の底部が形成する周溝とを備えたものである。【００１０】そして、スリーブと固定鍔部とを一体に樹脂成形したものである。【００１１】また、外径が４外覆管内に収まり内径がケーブル芯線束径より大きい円筒状で長手方向に１本のケーブル芯線が挿通可能なスリットを有する延長スリーブと、この延長スリーブのスリットと略同じ幅のスリットを有し延長スリーブ内径又は外径に密着する腕輪状の継手とにより、スリーブと継手を介在させて延長スリーブを順次固着してスリーブ部分を伸延可能としたものである。【００１２】そしてまた、スリーブおよび固定鍔部の開口したスリットの端部又は任意の部位にスリットを架橋閉塞し補強する補強スペーサを固着させたものである。
【考案の効果】
【００１３】この考案によれば、スリーブの一端側外周に設けた固定鍔部は断面が一体凹形に形成され内鍔及び外鍔は自身の強度が増し、凹形底部を含めて接着面積が広くなり接着強度も増して波形金具に強固に固定され、地盤沈下等による鞘管の伸長には中継ボックス内への突出を阻止し、鞘管の収縮にはスリーブ部分がケーブル芯線の地中への露出を防ぐことができる。【００１４】そして、スリーブと固定鍔部とを一体に樹脂成形することにより、スリーブと固定鍔部との接着作業が不要となり、作業効率がよくなると共に接着という不安定な接合が無く鍔部の強度アップがなされる。【００１５】また、スリーブに継手を介在させて延長スリーブを順次固着してスリーブ部分を伸延させることにより、地盤沈下が大きく予測される場所でのスリーブ部分の増長が可能である。また、中継ボックス内部が狭く長いスリーブだと反対側の壁が邪魔してスリーブの装着が困難なときに、短いスリーブを継ぎ足すことで所望のスリーブ長を得ることができる。【００１６】  そしてまた、開口したスリットを部分的に補強スペーサで架橋閉塞固着し補強することで、スリット部の撓みによる歪曲を無くしてスリーブの強度を高めることで、接着強度を維持することができ、ケーブル芯線の極端な変形を防止することができる。
【考案を実施するための最良の形態】
【実施例１】
【００１７】図１は本考案の実施例１の伸縮緩衝具を示す。図において、（イ）は実施例１の伸縮緩衝具の左側面、（ロ）は図（イ）のＡ−Ａに沿う正面断面図である。
スリーブ１は円筒形で軸芯方向にケーブル芯線１本分が挿通可能な幅にスリット１ａが設けられている。スリーブ１の一端側に環状の固定鍔部２が接着される。固定鍔部２はスリーブ１の外周に蜜着する形状であり、スリット１ａに相当する部位にはスリット２ｄを備える。固定鍔部２は断面が凹形であり外鍔部２ａと内鍔部２ｂの間に周溝２ｃを形成するように一体成形されている。また、周溝２ｃは後述の波形金具１５が取付けられる幅に形成されている。【００１８】外鍔部２ａ、内鍔部２ｂと周溝２ｃを含めて固定鍔部２が一体に形成されたことで、スリーブ１との接着面積が増加することと、接着部位を波形金具１５が挟むことで接着強度が増し、外覆管８が伸長した際の押圧力は内鍔部２ｂを介在して波形金具１５が受け止めることができる。そして、外覆管８が収縮したときは、スリーブ１部分はその位置を保ち、外覆管８だけが内鍔部２ｂから離れ、ケーブル芯線９はスリーブ１に保護される。
【実施例２】
【００１９】図２は本考案の実施例２の伸縮緩衝具を示す。図において、（イ）は実施例２の伸縮緩衝具の左側面図、（ロ）は図（イ）のＢ−Ｂに沿う正面断面図である。
円筒環状の固定鍔部３は軸芯方向にケーブル芯線１本分が通過可能な幅にスリット３ｅを有し、一方の軸方向にスリット３ｅを含め一体スリーブ３ｄが延設され、固定鍔部３は断面が凹形であり外鍔部３ａと内鍔部３ｂの間に周溝３ｃを形成するように一体樹脂成形されている。【００２０】このように、スリーブ３ｄと固定鍔部３とが一体に樹脂成形されたことにより、実施例１におけるスリーブ１と固定鍔部２との接着作業が不要となり、現場での作業効率がよくなると共に固定鍔部３の強度アップがなされる。
【実施例３】
【００２１】図３は本考案の実施例３の伸縮緩衝具を示す。図において、固定鍔部２から伸延する仮想線は実施例２の一体スリーブ３ｄの場合を示す。
継手４はスリーブ１の内径に密着する腕輪状でありケーブル芯線１本分が通過可能な幅のスリット４ａを有する。補強スペーサ５はスリーブ１の内径に密着する外径の蒲鉾状薄板形状になっており、表面は接着面５ｂとなっていて頂点に架橋部５ａを備える。架橋部５ａはスリット１ａと同寸の幅寸法に形成されている。図３において、一体スリーブ３ｄの部位はスリーブ１であってもよい。延長スリーブとしてスリーブ１と同じ形状のものを用いてもよい。【００２２】次に、スリーブの延長と補強スペーサ５の装着について説明する。中継ボックス６の反対側壁が邪魔とならない長さの延長スリーブ１のスリット１ａに１本づつケーブル芯線９を通過内抱させ、順次鞘管ケーブル７内のケーブル芯線９を内抱させる。補強スペーサ５の接着面５ｂに接着剤を塗布して架橋部５ａをスリット１ａに嵌合するように接着固着して、末端を外覆管８内に挿入する。今度は継手４を同様に接着固着してさらにスリーブ１を継ぎ足して行く。【００２３】地盤沈下が大きく予測される場所では、延長スリーブ１と継手４を必要数用いてスリーブ部分を所望の長さに設置する。そして、固定鍔部２をスリーブ１に接着固着し、必要に応じて固定鍔部２側のスリット１ａにも補強スペーサ５を接着固着する。
スリーブ部を延長することはスリットそのものも長くなり、スリーブ部が脆弱化するので必要に応じてスリットの任意の位置に補強スペーサ５を接着しもよい。また、継手４を接着固着する際に、スリット１ａとスリット４ａの位置を約１８０度ずらすことで、補強スペーサ５の代用とすることも可能である。【００２４】次に、該鞘管ケーブルの伸縮緩衝具の中継ボックス６への装着状態と伸縮緩衝動作について図４、図５により説明する。図４は中継ボックス６内側からケーブル挿通穴６ｂ方向に見た該鞘管ケーブルの伸縮緩衝具が取り付けられた状態を示す図である。図５はこの考案の動作を説明する図であるが、図４の線Ｅ−Ｅに沿う断面図でもある。【００２５】図４に示す様に、ケーブル挿通穴６ｂ部に取り付けられる向き合った波形金具１５の波形部が固定鍔部２の周溝２ｃを挟持する。波形金具１５を順次並増設することで、鞘管ケーブルの伸縮緩衝具を多数固定することができる。【００２６】図５により伸縮緩衝動作を説明する。
スリーブ１と外覆管８はその軸方向には移動可能である。外覆管８が収縮する場合は、スリーブ１は固定鍔部２、波形金具１５介して中継ボックス６の側壁６ａに固定されている。地盤沈下等により外覆管８が収縮すると、図上において外覆管８の端部は固定鍔部２から遠去るように符号Ｄが開離する方向に移動する。この移動寸法がスリーブ１の長さ以下であればケーブル芯線９の地中への露出は防止できる。スリーブ１の長さは地盤沈下等による外覆管８の収縮を予測して延長して設置するので、ケーブル芯線９の地中への露出が防止できる。【００２７】次に、外覆管８が突出する場合は、外覆管８の端部は内鍔部２ｂの側部を押し付ける。
内鍔部２ｂは外鍔部２ａ、周溝２ｃを含めてスリーブ１に一体に接着又は形成され、波形金具１５介して中継ボックス６に強固に固定されているので、少々の波形金具１５を歪曲させることもあるが、外覆管８の突出を阻止する。これにより、光ファイバー等のケーブル芯線９の「たるみ」曲率の減少とかケーブル芯線９の折損が阻止される。
【図面の簡単な説明】
【００２８】
【図１】  本考案の実施例１の鞘管ケーブルの伸縮緩衝具を示す図である。
【図２】  本考案の実施例２の鞘管ケーブルの伸縮緩衝具を示す図である。
【図３】  本考案の実施例３の延長スリーブ及び補強スペーサの説明図である。
【図４】  中継ボックス内側から見た鞘管ケーブルの伸縮緩衝具の取り付け状態を示す図である。
【図５】  本考案の伸縮緩衝具の動作を説明する図である。
【図６】  鞘管ケーブルの埋設概況を説明する図である。
【図７】  従来の鞘管ケーブルの伸縮緩衝具の図である。
【符号の説明】
【００２９】  １          スリーブ
１ａ、３ｅ  スリット
２、３      固定鍔部
２ａ、３ａ  外鍔部
２ｂ、３ｂ  内鍔部
２ｃ、３ｃ  周溝
３ｄ        一体スリーブ
４          継手
５          補強スペーサ
５ａ        架橋部
６          中継ボックス
７          鞘管ケーブル
８          外覆管
９          ケーブル芯線
１５          波形金具
【図１】
0003129753.tif 000003
【図２】
0003129753.tif 000004
【図３】
0003129753.tif 000005
【図４】
0003129753.tif 000006
【図５】
0003129753.tif 000007
【図６】
0003129753.tif 000008
【図７】
0003129753.tif 000009